【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
車両において、開口部（１ｃ）を形成しているステアリングホイール（１）を挟んで座席とは反対側に配置され、前記座席側へ向けて表示を行なう車両用表示装置であって、
表示画面（３２）に画像を発光表示する画像表示器（３０）と、
前記表示画面のうち分離対象部位（３２Ｒ，３２Ｌ）から発光される表示光を、前記表示画面から分離した分離位置に結像させる光路を形成し、前記画像を複数の分割画像（ＤＩＣ，ＤＩＲ，ＤＩＬ）が別々に表示されているかの如く構成するミラー（４１Ｒ，４１Ｌ）を有する分離光路形成部（４０Ｒ，４０Ｌ）と、を備え、
前記表示画面は、
前記座席側からみて前記ステアリングホイールの内周側に直接的に視認可能な直接的視認部位（３２Ｃ）と、
前記座席側からみて前記ステアリングホイールの死角となる死角領域（ＲＡ１）に配置される前記ミラーにより、当該死角領域を避けるようにして、前記ステアリングホイールの外周側の前記分離位置に、前記直接的視認部位から表示位置が分かれた状態で前記分割画像を表示させる前記分離対象部位と、を含む車両用表示装置。
【請求項２】
前記画像表示器は、前記分離対象部位の向きと、前記直接的視認部位の向きとが異なる屈曲面状に、前記表示画面を形成している請求項１に記載の車両用表示装置。
【請求項３】
車両において座席側へ向けて表示を行なう車両用表示装置であって、
表示画面（２３２，３３２）に画像を発光表示する画像表示器（２３０）と、
前記表示画面のうち分離対象部位（２３２Ｒ，２３２Ｌ，３３２Ｒ，３３２Ｌ）から発光される表示光を、前記表示画面から分離した分離位置に結像させる光路を形成し、前記画像を複数の分割画像（ＤＩＣ，ＤＩＲ，ＤＩＬ）が別々に表示されているかの如く構成するミラー（２４２Ｒ，４２Ｌ，３４２Ｒ，３４２Ｌ）を有する分離光路形成部（４０Ｒ，４０Ｌ）と、を備え、
前記表示画面は、前記座席側からみてステアリングホイールの内周側に直接的に視認可能な直接的視認部位（２３２Ｃ）、を含み、前記分離対象部位の向きと前記直接的視認部位の向きとが異なる屈曲面状に形成されてれおり、
前記分離対象部位は、前記座席側からみて前記ステアリングホイールの外周側に直接的に視認可能に配置される前記ミラーに、前記表示光を入射させる車両用表示装置。
【請求項４】
前記画像表示器は、
可撓性をもつ薄板状の表示部材であって、前記表示画面を、おもて面（２３１ａ）及びうら面（２３１ｂ）のうち前記おもて面に設けた表示部材（２３１）と、
前記表示部材を駆動する駆動回路（２３３）と、を有し、
前記分離対象部位は、前記直接的視認部位を挟む配置にて１対設けられ、
１対の前記分離対象部位が前記直接的視認部位に対して前記うら面側に屈曲された状態により、前記うら面側には、屈曲した前記表示部材に包囲された包囲空間（２３４）が形成され、
前記駆動回路は、前記包囲空間に収容されている請求項３に記載の車両用表示装置。
【請求項５】
前記ミラーは、前記分離対象部位から発光される前記表示光を前記座席側へ向けて反射して、前記分離位置に虚像を結像させ、
前記分離対象部位が滑らかな凸状に湾曲していると共に、前記ミラーの反射面が滑らかな凹状に湾曲している請求項２から４のいずれか１項に記載の車両用表示装置。
【請求項６】
前記ミラーは、前記分離対象部位から発光される前記表示光を前記座席側へ向けて反射して、前記分離位置に虚像を結像させる請求項１から４のいずれか１項に記載の車両用表示装置。
【請求項７】
車両において、開口部（１ｃ）を形成しているステアリングホイール（１）を挟んで座席とは反対側に配置され、前記座席側へ向けて表示を行なう車両用表示装置であって、
表示画面（３２，２３２，３３２）に画像を発光表示する画像表示器（３０，２３０）と、
前記表示画面のうち分離対象部位（３２Ｒ，３２Ｌ，２３２Ｒ，２３２Ｌ，３３２Ｒ，３３２Ｌ）から発光される表示光を、前記表示画面から分離した分離位置に結像させる光路を形成し、前記画像を複数の分割画像（ＤＩＣ，ＤＩＲ，ＤＩＬ）が別々に表示されているかの如く構成する分離光路形成部（４０Ｒ，４０Ｌ）と、を備え、
前記複数の分割画像は、前記座席側からみて前記ステアリングホイールの死角となる死角領域（ＲＡ１）を避けるようにして、前記死角領域を挟んだ内周側及び外周側の両側に、表示位置が分かれた状態で表示され、
前記画像表示器は、
前記分離対象部位の向きと、前記表示画面のうち前記分離対象部位とは別の部位の向きとが異なる屈曲面状に、前記表示画面を形成し、
可撓性をもつ薄板状の表示部材であって、前記表示画面を、おもて面（２３１ａ）及びうら面（２３１ｂ）のうち前記おもて面に設けた表示部材（２３１）と、
前記表示部材を駆動する駆動回路（２３３）と、を有し、
前記表示画面は、前記別の部位として、前記座席側から直接的に視認可能な直接的視認部位（２３２Ｃ）を有し、
前記分離対象部位は、前記直接的視認部位を挟む配置にて１対設けられ、
１対の前記分離対象部位が前記直接的視認部位に対して前記うら面側に屈曲された状態により、前記うら面側には、屈曲した前記表示部材に包囲された包囲空間（２３４）が形成され、
前記駆動回路は、前記包囲空間に収容されている車両用表示装置。
【請求項８】
車両において座席側へ向けて表示を行なう車両用表示装置であって、
表示画面（２３２，３３２）に画像を発光表示する画像表示器（２３０）と、
前記表示画面のうち分離対象部位（２３２Ｒ，２３２Ｌ，３３２Ｒ，３３２Ｌ）から発光される表示光を、前記表示画面から分離した分離位置に結像させる光路を形成し、前記画像を複数の分割画像（ＤＩＣ，ＤＩＲ，ＤＩＬ）が別々に表示されているかの如く構成する分離光路形成部（４０Ｒ，４０Ｌ）と、を備え、
前記画像表示器は、前記分離対象部位の向きと、前記表示画面のうち前記分離対象部位とは別の部位の向きとが異なる屈曲面状に、前記表示画面を形成し、
前記画像表示器は、
可撓性をもつ薄板状の表示部材であって、前記表示画面を、おもて面（２３１ａ）及びうら面（２３１ｂ）のうち前記おもて面に設けた表示部材（２３１）と、
前記表示部材を駆動する駆動回路（２３３）と、を有し、
前記表示画面は、前記別の部位として、前記座席側から直接的に視認可能な直接的視認部位（２３２Ｃ）を有し、
前記分離対象部位は、前記直接的視認部位を挟む配置にて１対設けられ、
１対の前記分離対象部位が前記直接的視認部位に対して前記うら面側に屈曲された状態により、前記うら面側には、屈曲した前記表示部材に包囲された包囲空間（２３４）が形成され、
前記駆動回路は、前記包囲空間に収容されている車両用表示装置。
【請求項９】
前記分離光路形成部は、前記分離対象部位から発光される前記表示光を前記座席側へ向けて反射して、前記分離位置に虚像を結像させるミラー（３４２Ｒ，３４２Ｌ）を有し、
前記分離対象部位が滑らかな凸状に湾曲していると共に、前記ミラーの反射面が滑らかな凹状に湾曲している請求項７又は８に記載の車両用表示装置。
【請求項１０】
前記分離光路形成部は、前記分離対象部位から発光される前記表示光を前記座席側へ向けて反射して、前記分離位置に虚像を結像させるミラー（４２Ｒ，４２Ｌ，３４２Ｒ，３４２Ｌ，４４２Ｌ）を有する請求項７又は８に記載の車両用表示装置。
【請求項１１】
前記ミラー（４４２Ｌ）は、前記表示光と異なる特定波長の光を透過可能に形成され、
前記座席側からみて前記ミラーの死角となるミラーうら空間（１５Ｔ）に配置され、前記特定波長の光を用いて前記座席側を撮影するカメラ（４５１）を、さらに備える請求項１から６、９、１０のいずれか１項に記載の車両用表示装置。
【請求項１２】
前記ミラー（４４２Ｌ）は、前記表示光と異なる特定波長の光を透過可能に形成され、
前記座席側からみて前記ミラーの死角となるミラーうら空間（１５Ｔ）に配置され、前記特定波長の光によって前記座席側を照明する照明光源（４５２）を、さらに備える請求項１から６、９、１０のいずれか１項に記載の車両用表示装置。
【請求項１３】
前記分離対象部位に隣接して配置され、前記光路へ向けて音を出力し、前記光路を前記音の反響経路として機能させ、前記座席側へ向けて音を提供するスピーカ（５５３Ｒ，５５３Ｌ）を、さらに備える請求項１から１２のいずれか１項に記載の車両用表示装置。
【請求項１４】
前記分離対象部位に隣接して配置され、前記光路へ向けて風を吹き出させ、前記光路を通じて前記座席側へ向けて風を提供する風吹出口（６５４Ｒ，６５４Ｌ）を、さらに備える請求項１から１３のいずれか１項に記載の車両用表示装置。
【手続補正２】
【補正対象書類名】明細書
【補正対象項目名】０００７
【補正方法】変更
【補正の内容】
【０００７】
ここに開示された態様のひとつは、車両において、開口部（１ｃ）を形成しているステアリングホイール（１）を挟んで座席とは反対側に配置され、座席側へ向けて表示を行なう車両用表示装置であって、
表示画面（３２）に画像を発光表示する画像表示器（３０）と、
表示画面のうち分離対象部位（３２Ｒ，３２Ｌ）から発光される表示光を、表示画面から分離した分離位置に結像させる光路を形成し、画像を複数の分割画像（ＤＩＣ，ＤＩＲ，ＤＩＬ）が別々に表示されているかの如く構成するミラー（４１Ｒ，４１Ｌ）を有する分離光路形成部（４０Ｒ，４０Ｌ）と、を備え、
表示画面は、
座席側からみてステアリングホイールの内周側に直接的に視認可能な直接的視認部位（３２Ｃ）と、
座席側からみてステアリングホイールの死角となる死角領域（ＲＡ１）に配置されるミラーにより、当該死角領域を避けるようにして、ステアリングホイールの外周側の分離位置に、直接的視認部位から表示位置が分かれた状態で分割画像を表示させる分離対象部位と、を含んでいる。
また開示された態様の他のひとつは、車両において、開口部（１ｃ）を形成しているステアリングホイール（１）を挟んで座席とは反対側に配置され、座席側へ向けて表示を行なう車両用表示装置であって、
表示画面（３２，２３２，３３２）に画像を発光表示する画像表示器（３０，２３０）と、
表示画面のうち分離対象部位（３２Ｒ，３２Ｌ，２３２Ｒ，２３２Ｌ，３３２Ｒ，３３２Ｌ）から発光される表示光を、表示画面から分離した分離位置に結像させる光路を形成し、画像を複数の分割画像（ＤＩＣ，ＤＩＲ，ＤＩＬ）が別々に表示されているかの如く構成する分離光路形成部（４０Ｒ，４０Ｌ）と、を備え、
複数の分割画像は、座席側からみてステアリングホイールの死角となる死角領域（ＲＡ１）を避けるようにして、死角領域を挟んだ内周側及び外周側の両側に、表示位置が分かれた状態で表示され、
画像表示器は、
分離対象部位の向きと、表示画面のうち分離対象部位とは別の部位の向きとが異なる屈曲面状に、表示画面を形成し、
可撓性をもつ薄板状の表示部材であって、表示画面を、おもて面（２３１ａ）及びうら面（２３１ｂ）のうちおもて面に設けた表示部材（２３１）と、
表示部材を駆動する駆動回路（２３３）と、を有し、
表示画面は、別の部位として、座席側から直接的に視認可能な直接的視認部位（２３２Ｃ）を有し、
分離対象部位は、直接的視認部位を挟む配置にて１対設けられ、
１対の分離対象部位が直接的視認部位に対してうら面側に屈曲された状態により、うら面側には、屈曲した表示部材に包囲された包囲空間（２３４）が形成され、
駆動回路は、包囲空間に収容されている。
【手続補正３】
【補正対象書類名】明細書
【補正対象項目名】０００８
【補正方法】変更
【補正の内容】
【０００８】
これらのような態様によると、画像表示器の表示画面のうち分離対象部位から発光される表示光は、分離光路形成部により形成された光路を導光され、分離位置に結像される。この分離位置は、表示画面から分離した位置であるので、表示画面に表示される画像は、複数の分割画像が別々に表示されているかの如く構成される。こうした画像の分離表示では、車両用表示装置よりも手前側に配置されているステアリングホイールとの干渉を避けつつ、表示位置の少なくとも一部を分離することができる。
【手続補正４】
【補正対象書類名】明細書
【補正対象項目名】００１０
【補正方法】変更
【補正の内容】
【００１０】
ここに開示された態様の他のひとつは、車両において座席側へ向けて表示を行なう車両用表示装置であって、
表示画面（２３２，３３２）に画像を発光表示する画像表示器（２３０）と、
表示画面のうち分離対象部位（２３２Ｒ，２３２Ｌ，３３２Ｒ，３３２Ｌ）から発光される表示光を、表示画面から分離した分離位置に結像させる光路を形成し、画像を複数の分割画像（ＤＩＣ，ＤＩＲ，ＤＩＬ）が別々に表示されているかの如く構成するミラー（２４２Ｒ，４２Ｌ，３４２Ｒ，３４２Ｌ）を有する分離光路形成部（４０Ｒ，４０Ｌ）と、を備え、
表示画面は、座席側からみてステアリングホイールの内周側に直接的に視認可能な直接的視認部位（２３２Ｃ）、を含み、分離対象部位の向きと直接的視認部位の向きとが異なる屈曲面状に形成されてれおり、
分離対象部位は、座席側からみてステアリングホイールの外周側に直接的に視認可能に配置されるミラーに、表示光を入射させる。
また開示された態様の他のひとつは、車両において座席側へ向けて表示を行なう車両用表示装置であって、
表示画面（２３２，３３２）に画像を発光表示する画像表示器（２３０）と、
表示画面のうち分離対象部位（２３２Ｒ，２３２Ｌ，３３２Ｒ，３３２Ｌ）から発光される表示光を、表示画面から分離した分離位置に結像させる光路を形成し、画像を複数の分割画像（ＤＩＣ，ＤＩＲ，ＤＩＬ）が別々に表示されているかの如く構成する分離光路形成部（４０Ｒ，４０Ｌ）と、を備え、
画像表示器は、分離対象部位の向きと、表示画面のうち分離対象部位とは別の部位の向きとが異なる屈曲面状に、表示画面を形成し、
画像表示器は、
可撓性をもつ薄板状の表示部材であって、表示画面を、おもて面（２３１ａ）及びうら面（２３１ｂ）のうちおもて面に設けた表示部材（２３１）と、
表示部材を駆動する駆動回路（２３３）と、を有し、
表示画面は、別の部位として、座席側から直接的に視認可能な直接的視認部位（２３２Ｃ）を有し、
分離対象部位は、直接的視認部位を挟む配置にて１対設けられ、
１対の分離対象部位が直接的視認部位に対してうら面側に屈曲された状態により、うら面側には、屈曲した表示部材に包囲された包囲空間（２３４）が形成され、
駆動回路は、包囲空間に収容されている。
【手続補正５】
【補正対象書類名】明細書
【補正対象項目名】００１１
【補正方法】変更
【補正の内容】
【００１１】
これらのような態様によると、画像表示器の表示画面による画像を複数の分割画像に別々に表示させる分離光路形成部に表示光を提供するに際し、表示画面は、分離対象部位の向きが当該分離対象部位とは別の部位の向きと異なるように、屈曲面状に形成されている。こうした屈曲面状の表示画面では、別の部位から表示光が発光される方向と、分離対象部位から表示光が発光される方向とが、当初から異なっている。したがって、分離対象部位からそのまま表示光を進行させることで、当該表示光を表示画面の別の部位から分離した位置に容易に導光することができ、分離光路形成部が、分離対象部位からの表示光を座席側へ向けるための偏向回数も抑制することができる。